(57)【特許請求の範囲】
【請求項１】
制御盤等の内部を照明する盤内照明器具を前記制御盤等の筐体のパネルに取り付けるための盤内照明器具の取付構造において、前記盤内照明器具としてＬＥＤ照明器具を用いた上で、当該ＬＥＤ照明器具及びその周辺部品が前記パネルに固定された取付レールに取付可能になっており、前記ＬＥＤ照明器具は、直線状をなしたＬＥＤ照明ユニット本体と、ＬＥＤ照明ユニット本体の長さ方向の両端側に各々取り付けられた部材であって前記取付レールのフランジ部と嵌合する着脱部を有したエンドプレートとを備え、前記ＬＥＤ照明ユニット本体は、金属ベース板を有し、当該金属ベース板の取付レールの対向露出底面に凹凸が放熱フィンとして形成されていることを特徴とする盤内照明器具の取付構造。
【請求項２】
請求項１記載の盤内照明器具の取付構造において、前記取付レールがその底面に貼られたマグネットシールにより前記パネルに固定されていることを特徴とする盤内照明器具の取付構造。
【請求項３】
請求項１記載の盤内照明器具の取付構造において、前記ＬＥＤ照明器具は、前記ＬＥＤ照明ユニット本体と前記エンドプレートとの間に配置された非透光性素材からなる中間ブロックを更に備えていることを特徴とする盤内照明器具の取付構造。
【請求項４】
請求項１記載の盤内照明器具の取付構造において、前記ＬＥＤ照明ユニット本体には、電源入力用コネクタが設けられていることを特徴とする盤内照明器具の取付構造。
【請求項５】
請求項１記載の盤内照明器具の取付構造において、前記周辺部品は、過電流保護用のヒューズ、中継端子台及び／又はスイッチのユニットであることを特徴とする盤内照明器具の取付構造。
【請求項６】
前記周辺部品として過電流保護用のヒューズを含んでいる場合の請求項５記載の盤内照明器具の取付構造において、前記ヒューズユニットは、前記取付レールのフランジ部と嵌合する着脱部を有したユニット本体と、ユニット本体の表面側に露出して設けられたヒューズホルダーと、ヒューズホルダーに着脱自在なヒューズとを備えていることを特徴とする盤内照明器具の取付構造。
【発明の詳細な説明】
【技術分野】
【０００１】
本発明は制御盤等の内部を照明する盤内照明器具を前記制御盤等のパネルに取り付けるための盤内照明器具の取付構造に関する。
【背景技術】
【０００２】
工場設備や工作機械等の制御盤は、箱状の筐体内に収められ、筐体の扉を開けると、ドアスイッチがオンし、これに伴って筐体内に取り付けられた蛍光灯等の盤内照明器具が点灯するようになっているのが一般的である（特許文献１等参照）。
【先行技術文献】
【特許文献】
【０００３】
【特許文献１】特開平８−１４９６２３３号公報
【発明の開示】
【発明が解決しようとする課題】
【０００４】
しかしながら、上記従来例による場合、照明器具本体やドアスイッチに加えて過電流保護用のヒューズや中継端子台等が筐体のパネルに直接に固定する必要があることから、組込み作業やメンテナンス作業が煩わしいという問題がある。また、盤内照明器具として蛍光灯を使用したときは、安定器を含むことから同器具の小型軽量化が困難であり、この点で上記作業が一層大変になるという問題もある。
【０００５】
本発明は上記背景に鑑みて創作されたものであり、その目的とするところは、制御盤等に対する組込み作業等を容易に行うことが可能な盤内照明器具の取付構造を提供することにある。
【課題を解決するための手段】
【０００６】
本発明に係る盤内照明器具の取付構造は、制御盤等の内部を照明する盤内照明器具を前記制御盤等の筐体のパネルに取り付けるための盤内照明器具の取付構造であって、前記盤内照明器具としてＬＥＤ照明器具を用いた上で、当該ＬＥＤ照明器具及びその周辺部品が前記パネルに固定された取付レールに取付可能になっており、前記ＬＥＤ照明器具は、直線状をなしたＬＥＤ照明ユニット本体と、ＬＥＤ照明ユニット本体の長さ方向の両端側に各々取り付けられた部材であって前記取付レールのフランジ部と嵌合する着脱部を有したエンドプレートとを備える。特に、前記ＬＥＤ照明ユニット本体は、金属ベース板を有し、当該金属ベース板の取付レールの対向露出底面に凹凸が放熱フィンとして形成されている。
【０００７】
上記発明による場合、ＬＥＤ照明器具及びその周辺部品が取付レールを介して制御盤等の筐体のパネルに固定される構成となっているので、盤内照明器具等の取り付け／取り外しが容易となる。しかも盤内照明器具としてＬＥＤ照明器具が使用されているので、従来に比べて同器具の小型軽量化が容易である。よって、盤内照明器具等の制御盤等に対する組込み作業及びメンテナンス作業等を容易に行うことが可能になった。特に、ＬＥＤ照明ユニット本体から発せられた発熱が放熱フィンにより効果的に放熱される構成となっているので、ＬＥＤ照明ユニット本体が高温になるのが抑止される。特別な放熱手段が不要であることから、盤内照明器具の低コスト化が図られる。
【０００８】
この場合、取付レールがその底面に貼られたマグネットシールによりパネルに固定すると良い。
【０００９】
上記発明による場合、取付レールがマグネットシールでパネルに取り付けられた構成となっているので、取付レールの取り付け／取り外しが容易となり、この点で盤内照明器具等の制御盤等に対する組込み作業及びメンテナンス作業等を一層容易に行なうことが可能になった。
【００１１】
上記例のＬＥＤ照明器具を用いた場合、ＬＥＤ照明ユニット本体とエンドプレートとの間に配置された非透光性素材からなる中間ブロックを更に有したものを用いると良い。
【００１２】
上記発明による場合、ＬＥＤ照明ユニット本体から出力される光の一部が中間ブロックにて遮蔽される構成になっているので、ＬＥＤ照明ユニット本体の発光面境界のムラが抑止される。
【００１５】
さらに、ＬＥＤ照明ユニット本体には、電源入力用コネクタが設けられているものを用いると良い。
【００１６】
上記発明による場合、ＬＥＤ照明ユニット本体が電源入力用コネクタを介して電源供給される構成となっているので、電源ラインの配線が容易となり、この点で盤内照明器具等の制御盤等の筐体に対する組込み作業等を更に容易に行なうことが可能になった。
【００１７】
周辺部品の一例として、過電流保護用のヒューズ、中継端子台及び／又はスイッチのユニットがある。この場合のヒューズユニットは、取付レールのフランジ部と嵌合する着脱部を有したユニット本体と、ユニット本体の表面側に露出して設けられたヒューズホルダーと、ヒューズホルダーに着脱自在なヒューズとを備えたものを用いると良い。
【００１８】
上記発明による場合、ヒューズホルダーがユニット本体の表面側に露出して設けられた構成となっているので、ヒューズの交換が容易となり、この点で盤内照明器具等のメンテナンス作業を一層容易に行なうことが可能になった。
【図面の簡単な説明】
【００１９】
【図１】本発明の実施形態を説明するための図であって、(Ａ)はＬＥＤ照明器具等の平面図、(Ｂ)は同器具等の図中下側視側面図、(Ｃ)は同器具の図中右側視側面図である。
【図２】同ＬＥＤ照明器具の電気的構成図である。
【図３】(Ａ)は同ＬＥＤ照明器具の図中下側視側面図、(Ｂ)は同ＬＥＤ照明器具の底面図、(Ｃ)は同ＬＥＤ照明器具の図中左側視側面図、(Ｄ)は同ＬＥＤ照明器具の図中右側視側面図である。
【図４】同ＬＥＤ照明器具の電源用引き出し電線の平面図である。
【図５】同ＬＥＤ照明器具の一方のエンドプレートの斜視図である。
【図６】上記ＬＥＤ照明器具の他方のエンドプレートの斜視図である。
【図７】同ＬＥＤ照明器具の中間ブロックの斜視図である。
【図８】本発明の第１変形例を説明するための図であって、ＬＥＤ照明器具の底面図である。
【図９】本発明の第２変形例を説明するための図であって、(Ａ)はＬＥＤ照明器具の平面図、(Ｂ)は同ＬＥＤ照明器具体の図中下側視側面図である。
【図１０】同器具の第３変形例を説明するための図であって、(Ａ)はＬＥＤ照明器具等の平面図、(Ｂ)は同ＬＥＤ照明器具等の図中下側視側面図である。
【図１１】上記ＬＥＤ照明器具の取付例を説明するための制御盤の筐体の一部破断側面図である。
【発明を実施するための形態】
【００２０】
以下、本発明の実施の形態を図１乃至図１１を参照して説明する。ここに例を掲げる盤内照明器具は、制御盤や工作機械等の内部を照明する業務用の照明器具であって、図１に示すようにＬＥＤ照明器具１が使用され、ＬＥＤ照明器具１及びその周辺部品（本案例では過電流保護用のヒューズユニット２及び扉スイッチユニット３）が制御盤等の筐体１００(図１１参照)の天井パネル１０１に固定されたＤＩＮレール４（取付レールに相当する）に取付可能になっている。  
【００２１】
ＬＥＤ照明器具１及びヒューズユニット２は、図１に示されるようにＤＩＮレール４に横から差し込み可能或いは上から装着が可能であり、この状態でレール固定具４３、４３に挟まれて位置決め固定される、扉スイッチユニット３はＤＩＮレール４にネジ止めにより固定される。
【００２２】
ＤＩＮレール４については、アルミ製の盤用構造材の汎用品が使用されている。幅方向の両側には一対のフランジ部４１が外側に向けて各々形成され、底面中央部には長さ方向に向けて複数の長穴４２が等間隔で各々形成されている。長穴４２を用いて扉スイッチユニット３がＤＩＮレール４にネジ止めされている。
【００２３】
本案例においてＤＩＮレール４は、合計２つのＬアングル５により天井パネル１０１（図１１参照）に固定されており、Ｌアングル５は扉スイッチユニット３と同様に長穴４２を用いてＤＩＮレール４にネジ止めされている。
【００２４】
ＬＥＤ照明器具１については、図３に示すように直線状をなしたＬＥＤ照明ユニット本体１０と、ＬＥＤ照明ユニット本体１０の長さ方向の両端側に各々取り付けられた樹脂製のエンドプレート２０ａ、２０ｂと、ＬＥＤ照明ユニット本体１０とエンドプレート２０ｂとの間に配置された中間ブロック３０とを有している。
【００２５】
ＬＥＤ照明ユニット本体１０は、光源のＬＥＤ１３（図２参照）と、ＬＥＤ１３に流す駆動電流を安定化する定電流回路１４（図２参照）と、ＬＥＤ１３及び定電流回路１４を含む点灯回路及び電源入力用コネクタ９（図２参照）が実装された基板（図示せず）が内底面に設けられた長尺状の金属ベース１１と、金属ベース板１１の表面側を覆う断面略円弧状の樹脂製長尺部材であってＬＥＤ１３から出力された光を拡散させる拡散カバー１２とを有している。
【００２６】
金属ベース板１１の底面(ＤＩＮレール４に対する対向露出底面)には図３（Ｂ）に示すように複数の凹凸が放熱フィン１１１として長さ方向に向けて形成されている。金属ベース板１１の長さ方向の両側にはエンドプレート２０ａ、２０ｂや中間ブロック３０を取り付けるための螺子穴（図示せず）が形成されている。
【００２７】
エンドプレート２０ａは図５に示すように断面略円弧状部材でありＬＥＤ照明ユニット本体１０の長さ方向の一端が入り込み可能な溝（図示せず）が裏面側に形成されたプレート本体２０１ａと、断面略Ｌ状をなした弾性片部材であってプレート本体２０１ａの下側部位の左右両側に一体的に形成された着脱部２０３ａ，２０３ａとを有している。
【００２８】
着脱部２０３ａの内側にはＤＩＮレール４のフランジ部４１の端部が係合可能な係合溝２０４ａが形成されている。プレート本体２０１ａの面上にはエンドプレート２０ａを金属ベース板１１に取り付けるための螺子挿入穴２０２ａが左右両側に形成されている。
【００２９】
エンドプレート２０ｂは図６に示すようにエンドプレート２０ａと似通った形状を有している。即ち、エンドプレート２０ｂは断面略円弧状部材でありＬＥＤ照明ユニット本体１０の長さ方向の他端が入り込み可能な溝（図示せず）が裏面側に形成されたプレート本体２０１ｂと、断面略Ｌ状をなした弾性片部材であってプレート本体２０１ｂの下側部位の左右両側に一体的に形成された着脱部２０３ｂ，２０３ｂとを有している。
【００３０】
着脱部２０３ｂの内側にはＤＩＮレール４のフランジ部４１の端部が係合可能なが係合溝２０４ｂが形成されている。プレート本体２０１ｂの面上にはエンドプレート２０ｂを金属ベース板１１に取り付けるための螺子挿入穴２０２ｂが左右両側に形成されている。
【００３１】
エンドプレート２０ｂがエンドプレート２０ａと大きく異なるのは、プレート本体２０１ｂの外面中央部位に電源入力用コネクタ９（図３（Ｃ）参照）に接続可能なプラグ６２（図４参照）を挿入するための開口２０５ｂが形成されている点である。プラグ６２は、ヒューズユニット２とＬＥＤ照明ユニット本体１０との間を接続する電源用引き出し電線６１（図４参照）の末端に接続されている。
【００３２】
中間ブロック３０については、ＬＥＤ照明ユニット本体１０とエンドプレート２０ｂとの間に配置される非透光性素材(本案例では白色の樹脂製)の部品であって、図7に示すように断面略円弧状部材であり且つＬＥＤ照明ユニット本体１０の長さ方向の一端が入り込み可能な溝が形成されたプレート本体３０１を有している。プレート本体３０１の下側部位には、中間ブロック３０ａをエンドプレート２０ｂとともに金属ベース板１１に取り付けるための螺子挿入穴３０２ａが左右両側に形成されている。
【００３３】
ヒューズユニット２については、樹脂製の板状部材であるユニット本体２１と、ユニット本体２１の表面側に露出して設けられた基板２２と、基板２２の表面に実装されたヒューズホルダー２３と、ヒューズホルダー２３に着脱自在なヒューズ２４と、基板２２の表面に実装された電源コネクタ２５とを有している。ユニット本体２１の底側には、エンドプレート２０ａ,２０ｂと同様にＤＩＮレール４のフランジ部４１の端部が係合可能な係合溝２１１が形成されている。
【００３４】
なお、基板２２の表面側には、ヒューズユニット２とＬＥＤ照明ユニット本体１０の間を繋ぐ電線(電源用引き出し電線６１：図１では図示省略)の他端に接続可能なコネクタ２６と、ヒューズユニット２と扉スイッチユニット３との間を繋ぐ電線(図１では図示省略) の他端に接続可能なコネクタ２７が各々実装されている。
【００３５】
扉スイッチユニット３については、筐体１００(図１１参照)の扉１１０の開閉状態を検出する扉スイッチ３１と、扉スイッチ３１を保持するＬアングル３２とを有している。
【００３６】
上記した盤内照明器具は、図２に示すような回路構成となっており、図１１に示すよう筐体１００の扉１１０が閉じられると、扉スイッチ３１の頭部３１１が扉１１０の裏面に接触して、扉スイッチ３１がオンとなり、これに伴ってＬＥＤ照明ユニット本体１０が点灯する。一方、筐体１００の扉１１０が開けられると、扉スイッチ３１の頭部３１１が扉１１０の裏面から離れて、扉スイッチ３１がオフとなり、これに伴ってＬＥＤ照明ユニット本体１０が消灯するようになっている。なお、図１１中の１２０は、制御盤等の筐体１００内に設置された配電盤等である。
【００３７】
上記発明による場合、ＬＥＤ照明器具１、ヒューズユニット２及び扉スイッチユニット３がＤＩＮレール４を介して制御盤等の筐体１００の天井パネル１０１に固定された構成となっているので、ＬＥＤ照明器具１等の取り付け／取り外しが容易となる。また、ＬＥＤ照明ユニット本体１０が電源入力用コネクタ９を介して電源供給される構成となっているので、電源ラインの配線が容易になった。更に、ヒューズホルダー２３がＬＥＤ照明器具１の露出した位置に設けられた構成となっているので、ヒューズ２４の交換が容易になった。
【００３８】
しかも盤内照明器具としてＬＥＤ照明器具１が使用されているので、従来に比べて長寿命、低消費電力及び低ノイズであるだけでなく同器具の小型軽量化が容易である。これらのことから盤内照明器具等の制御盤等に対する組込み作業及びメンテナンス作業等を容易に行なうことが可能になった。
【００３９】
また、ＬＥＤ照明ユニット本体１０から出力される光の一部が中間ブロック３０に遮蔽される構成になっているので、ＬＥＤ照明ユニット本体１０の発光面境界のムラが抑止され、同器具の意匠面が良好になった。加えて、ＬＥＤ照明ユニット本1０から発せられた発熱が放熱フィン１１１により効果的に放熱される構成となっているので、ＬＥＤ照明ユニット本体１０が高温になるのが抑止される。特別な放熱手段が不要であることから、同器具の低コスト化を図ることも可能になった。
【００４０】
なお、本発明に係る盤内照明器具の取付構造は上記実施形態に限定されず、次のように設計変更しても良い。取付レールについては、ＤＩＮレール４の代わりにダクトレール等のようなものを使用しても良い。そして盤内照明器具及び周辺部品の取付レールに対する取付手段については、取付レールの種類に応じて適宜選定すれば良い。また、図８に示すようにＤＩＮレール４をその底面に貼られたマグネットシール７により制御盤等の筐体のパネルに固定したり、図９に示すようにエンドプレート２０a、２０ｂにＬアングル８を取り付けて、Ｌアングル８に形成された長穴８１を用いてＬＥＤ照明ユニット本体１０を同パネルにネジ止めで直接に取り付ける形態でもかまわない。ＬＥＤ照明器具１の周辺部品については、ヒューズユニット２や扉スイッチユニット３だけでなく、同器具を点灯させるのに必要な電気部品であれば良く、たとえば図１０に示すように中継端子台ユニット１００がある。即ち、ＬＥＤ照明ユニット本体１０及び中継端子台ユニット１００をＤＩＮレール４に上記と同様に装着して同パネルに取り付ける形態であってもかまわない。
【符号の説明】
【００４１】
１    ＬＥＤ照明器具  
１０  ＬＥＤ照明ユニット本体
２０  エンドプレート
３０  中間ブロック
２    ヒューズユニット
３  扉スイッチユニット
４  ＤＩＮレール
【図１】
0005714885.tif 000002
【図２】
0005714885.tif 000003
【図３】
0005714885.tif 000004
【図４】
0005714885.tif 000005
【図５】
0005714885.tif 000006
【図６】
0005714885.tif 000007
【図７】
0005714885.tif 000008
【図８】
0005714885.tif 000009
【図９】
0005714885.tif 000010
【図１０】
0005714885.tif 000011
【図１１】
0005714885.tif 000012